(57)【特許請求の範囲】
【請求項１】
透明基板（ＷＳ）に装着されるレインセンサであって、
前記透明基板に光を照射する発光素子（１０）と、
前記透明基板にて反射された前記発光素子の光を受光する受光素子（２０）と、
該受光素子に入射する光の入射角度を規定する規定部（３０）と、
前記受光素子の出力信号に基づいて、雨量を検出する検出部（４０）と、を有し、
１つの前記発光素子は、前記透明基板における１つの照射領域（ＩＲ）に光を照射し、
１つの前記照射領域は、複数の検出領域（ＤＲ）に分けられ、
１つの前記検出領域に対して、１つの前記受光素子が対応し、
前記規定部は、１つの前記検出領域にて反射される前記発光素子の光が対応する受光素子に入射するよう、前記受光素子の入射角度を規定し、
前記検出部は、１つの前記照射領域に対応する複数の前記受光素子の出力信号に基づいて雨量を検出し、
前記検出部は、前記受光素子の出力信号を閾値電圧と比較し、前記出力信号が前記閾値電圧よりも低い場合にＨｉ信号、前記出力信号が前記閾値電圧よりも高い場合に前記Ｈｉ信号よりも電圧レベルの低いＬｏ信号を出力する比較部（４２）と、該比較部から出力されるＨｉ信号若しくはＬｏ信号の数をカウントし、そのカウントした数に基づいて、雨量を検出する雨量検出部（４３）と、を有し、
前記検出部は、前記受光素子の出力信号に重みを付ける重み付け部（４１）を有し、
該重み付け部によって重み付けされた受光素子の出力信号が、前記比較部に入力されることを特徴とするレインセンサ。
【請求項２】
複数の前記受光素子が、前記発光素子から離れる方向に並んでおり、
前記離れる方向に並ぶ受光素子の隣接間隔は、前記発光素子から離れるにしたがって、徐々に広がり、
前記離れる方向に並ぶ受光素子の入射角度は、前記発光素子から離れるにしたがって、徐々に大きくなるよう、前記規定部によって規定されていることを特徴とする請求項１に記載のレインセンサ。
【請求項３】
前記検出部は、前記発光素子と前記受光素子との間に配置されていることを特徴とする請求項２に記載のレインセンサ。
【請求項４】
前記規定部は、遮光膜（３２）と、該遮光膜に形成された開口部（３３）と、を有し、
前記受光素子の入射角度は、前記開口部によって規定されることを特徴とする請求項１〜３いずれか１項に記載のレインセンサ。
【請求項５】
前記規定部は、前記受光素子に入射する光の入射角度を調整するレンズ（３４）を有することを特徴とする請求項４に記載のレインセンサ。
【請求項６】
透明基板（ＷＳ）に装着されるレインセンサであって、
前記透明基板に光を照射する発光素子（１０）と、
前記透明基板にて反射された前記発光素子の光を受光する受光素子（２０）と、
該受光素子に入射する光の入射角度を規定する規定部（３０）と、
前記受光素子の出力信号に基づいて、雨量を検出する検出部（４０）と、を有し、
１つの前記発光素子は、前記透明基板における１つの照射領域（ＩＲ）に光を照射し、
１つの前記照射領域は、複数の検出領域（ＤＲ）に分けられ、
１つの前記検出領域に対して、１つの前記受光素子が対応し、
前記規定部は、１つの前記検出領域にて反射される前記発光素子の光が対応する受光素子に入射するよう、前記受光素子の入射角度を規定し、
前記検出部は、１つの前記照射領域に対応する複数の前記受光素子の出力信号に基づいて雨量を検出し、
複数の前記受光素子が、前記発光素子から離れる方向に並んでおり、
前記離れる方向に並ぶ受光素子の隣接間隔は、前記発光素子から離れるにしたがって、徐々に広がり、
前記離れる方向に並ぶ受光素子の入射角度は、前記発光素子から離れるにしたがって、徐々に大きくなるよう、前記規定部によって規定されていることを特徴とするレインセンサ。
【請求項７】
前記検出部は、前記発光素子と前記受光素子との間に配置されていることを特徴とする請求項６に記載のレインセンサ。
【請求項８】
前記規定部は、遮光膜（３２）と、該遮光膜に形成された開口部（３３）と、を有し、
前記受光素子の入射角度は、前記開口部によって規定されることを特徴とする請求項６又は請求項７に記載のレインセンサ。
【請求項９】
透明基板（ＷＳ）に装着されるレインセンサであって、
前記透明基板に光を照射する発光素子（１０）と、
前記透明基板にて反射された前記発光素子の光を受光する受光素子（２０）と、
該受光素子に入射する光の入射角度を規定する規定部（３０）と、
前記受光素子の出力信号に基づいて、雨量を検出する検出部（４０）と、を有し、
１つの前記発光素子は、前記透明基板における１つの照射領域（ＩＲ）に光を照射し、
１つの前記照射領域は、複数の検出領域（ＤＲ）に分けられ、
１つの前記検出領域に対して、１つの前記受光素子が対応し、
前記規定部は、１つの前記検出領域にて反射される前記発光素子の光が対応する受光素子に入射するよう、前記受光素子の入射角度を規定し、
前記検出部は、１つの前記照射領域に対応する複数の前記受光素子の出力信号に基づいて雨量を検出し、
前記規定部は、遮光膜（３２）と、該遮光膜に形成された開口部（３３）と、を有し、
前記受光素子の入射角度は、前記開口部によって規定されることを特徴とするレインセンサ。
【請求項１０】
前記規定部は、前記受光素子に入射する光の入射角度を調整するレンズ（３４）を有することを特徴とする請求項８又は請求項９に記載のレインセンサ。
【請求項１１】
前記検出部は、前記受光素子の出力信号を閾値電圧と比較し、前記出力信号が前記閾値電圧よりも低い場合にＨｉ信号、前記出力信号が前記閾値電圧よりも高い場合に前記Ｈｉ信号よりも電圧レベルの低いＬｏ信号を出力する比較部（４２）と、該比較部から出力されるＨｉ信号若しくはＬｏ信号の数をカウントし、そのカウントした数に基づいて、雨量を検出する雨量検出部（４３）と、を有することを特徴とする請求項６〜１０いずれか１項に記載のレインセンサ。
【請求項１２】
前記検出部は、前記受光素子の出力信号に重みを付ける重み付け部（４１）を有し、
該重み付け部によって重み付けされた受光素子の出力信号が、前記比較部に入力されることを特徴とする請求項１１に記載のレインセンサ。
【請求項１３】
前記重み付け部は、複数の前記検出領域における水の付き難い検出領域に対応する受光素子の出力信号に付ける重みを、水の付き易い検出領域に対応する受光素子の出力信号に付ける重みよりも重くしていることを特徴とする請求項１〜５，１２いずれか１項に記載のレインセンサ。
【請求項１４】
前記重み付け部は、複数の前記検出領域における面積の大きい検出領域に対応する受光素子の出力信号に付ける重みを、面積の小さい検出領域に対応する受光素子の出力信号に付ける重みよりも重くしていることを特徴とする請求項１〜５，１２，１３いずれか１項に記載のレインセンサ。
【発明の詳細な説明】
【技術分野】
【０００１】
本発明は、透明基板に装着されるレインセンサに関するものである。
【背景技術】
【０００２】
従来、例えば特許文献１に示されるように、ウインドシールドの内壁側に光を照射する発光素子と、ウインドシールドで反射された光を計測する受光素子と、を有し、受光素子の受光量に基づいて、ウインドシールドの外壁面に付着した雨滴の量を検出する雨滴検出装置が提案されている。
【先行技術文献】
【特許文献】
【０００３】
【特許文献１】特許第４２４１５５３号公報
【発明の概要】
【発明が解決しようとする課題】
【０００４】
上記したように、発光素子からウインドシールドの内壁面に光が照射されるが、雨滴の検出範囲を広く取ろうとして、光の照射領域を広くすると、その照射領域当たりに付着する雨滴の割合が減少することとなる。雨滴の検出量は、照射領域当たりにおける雨滴の付着面積に比例するので、雨滴の検出精度が低下する虞がある。
【０００５】
これに対して、特許文献１に示される雨滴検出装置は、１つの発光素子に対して１つの受光素子を備えている。そのため、１つの照射領域（検出領域）に対して１つの受光素子が対応することとなり、光の照射領域を広くすると、雨滴の検出精度が低下する虞がある。
【０００６】
そこで、本発明は上記問題点に鑑み、雨滴の検出精度の低下が抑制されたレインセンサを提供することを目的とする。
【課題を解決するための手段】
【０００７】
上記した目的を達成するために、本発明は、透明基板（ＷＳ）に装着されるレインセンサであって、透明基板に光を照射する発光素子（１０）と、透明基板にて反射された発光素子の光を受光する受光素子（２０）と、該受光素子に入射する光の入射角度を規定する規定部（３０）と、受光素子の出力信号に基づいて、雨量を検出する検出部（４０）と、を有し、１つの発光素子は、透明基板における１つの照射領域（ＩＲ）に光を照射し、１つの照射領域は、複数の検出領域（ＤＲ）に分けられ、１つの検出領域に対して、１つの受光素子が対応し、規定部は、１つの検出領域にて反射される発光素子の光が対応する受光素子に入射するよう、受光素子の入射角度を規定し、検出部は、１つの照射領域に対応する複数の受光素子の出力信号に基づいて雨量を検出し、検出部は、受光素子の出力信号を閾値電圧と比較し、出力信号が閾値電圧よりも低い場合にＨｉ信号、出力信号が閾値電圧よりも高い場合にＨｉ信号よりも電圧レベルの低いＬｏ信号を出力する比較部（４２）と、該比較部から出力されるＨｉ信号若しくはＬｏ信号の数をカウントし、そのカウントした数に基づいて、雨量を検出する雨量検出部（４３）と、を有し、検出部は、受光素子の出力信号に重みを付ける重み付け部（４１）を有し、該重み付け部によって重み付けされた受光素子の出力信号が、比較部に入力されることを特徴とする。
【０００８】
このように本発明によれば、１つの照射領域（ＩＲ）が複数の検出領域（ＤＲ）に分けられ、１つの検出領域（ＤＲ）に対して１つの受光素子（２０）が対応している。すなわち、１つの照射領域（ＩＲ）に対して複数の受光素子（２０）が対応している。これによれば、１つの照射領域に対して１つの受光素子が対応する構成とは異なり、光の照射領域（ＩＲ）を広くしても、１つの受光素子（２０）にて検出される雨滴の検出精度の低下が抑制される。
【０００９】
また、本発明では、１つの照射領域（ＩＲ）に対応する複数の受光素子（２０）の出力信号に基づいて雨量を検出する。上記したように、１つの受光素子（２０）にて検出される雨滴の検出精度の低下が抑制されているので、１つの照射領域に対して１つの受光素子が対応する構成と比べて、雨量の検出精度の低下が抑制される。
【図面の簡単な説明】
【００１０】
【図１】第１実施形態に係るレインセンサの概略構成を示す平面図である。
【図２】レインセンサの概略構成を示す断面図である。
【図３】照射領域、検出領域のイメージ図である。
【図４】レインセンサの変形例を示す断面図である。
【図５】図４に示すレインセンサの平面図である。
【発明を実施するための形態】
【００１１】
以下、本発明を、車両のウインドシールドに取り付けた場合の実施形態を図に基づいて説明する。このウインドシールドが、特許請求の範囲に記載の透明基板に相当する。
（第１実施形態）
図１〜図３に基づいて、本実施形態に係るレインセンサを説明する。なお、図１では後述する規定部３０を省略し、図２では、後述する検出部４０を省略している。
【００１２】
レインセンサ１００は、要部として、発光素子１０と、受光素子２０と、規定部３０と、検出部４０と、を有する。発光素子１０から照射された光がウインドシールドＷＳにて反射され、反射された光の内、規定部３０によって規定された入射角度を有する光が受光素子２０に入射される。受光素子２０は、受光した光を電気信号に変換して、その変換した電気信号を検出部４０に出力する。検出部４０は、受光素子２０の出力信号に基づいて、ウインドシールドＷＳに付着した雨滴の量、すなわち、雨量を検出する。
【００１３】
ウインドシールドＷＳに水が付着している場合、その水の付着領域に光が入射すると、ガラスと水との界面にて反射が起こらず、そのまま光は外へと透過する。この結果、受光素子２０にて受光する光の量が低減され、検出部４０に入力される受光素子２０の電気信号が低減される。このような現象が起こるので、受光素子２０の電気信号の増減に基づくことで、雨量を検出することができる。なお、本実施形態では、上記した主要素１０〜４０が、一つの基板５０に搭載されており、該基板５０は、取り付け部（図示略）によって、ウインドシールドＷＳの内面に取り付けられている。
【００１４】
発光素子１０は、ウインドシールドＷＳへ光を照射するものである。発光素子１０はＬＥＤであり、基板５０に対して１つの発光素子１０が設けられている。発光素子１０は、図２に破線で囲まれた１つの領域（照射領域ＩＲ）に光を照射する機能を果たす。本実施形態では、照射領域ＩＲの面積を確保するために、発光素子１０から発せられた光がウインドシールドＷＳに対して斜めに照射されている。
【００１５】
発光素子２０は、ウインドシールドＷＳにて反射された発光素子１０の光を受光するものである。受光素子２０は、フォトダイオードであり、基板５０に対して複数の受光素子２０が設けられている。図３に示すように、照射領域ＩＲは複数の検出領域ＤＲに分けられており、１つの照射領域ＩＲに対して複数の受光素子２０が対応し、１つの検出領域ＤＲに対して１つの受光素子２０が対応している。本実施形態では、９つの受光素子２０が基板５０に形成され、これら９つの受光素子２０それぞれが、自身に対応する検出領域ＤＲにて反射された光を受光する機能を果たす。
【００１６】
上記したように、発光素子１０から発せられた光がウインドシールドＷＳに対して斜めに照射されているため、照射領域ＩＲにて反射された光の反射角度が鈍角に近づく。そのため、この反射光を受光素子２０に入射させるために、発光素子１０と受光素子２０とは、所定距離離れている。照射領域ＩＲは幅を持つが、上記した反射角度は、照射領域ＩＲと発光素子１０との距離が遠ざかるほど、鈍角に近づく。そのため、図１に示すように、複数の受光素子２０が、発光素子１０から離れる方向に並んでいるが、その受光素子２０の隣接間隔は、発光素子１０から離れるにしたがって、徐々に広がっている。
【００１７】
規定部３０は、受光素子２０に入射する光の入射角度を規定するものである。上記したように、照射領域ＩＲは９つの検出領域ＤＲに分けられているが、その一つの検出領域ＤＲにて反射された光が、対応する受光素子２０に入射するよう、規定部３０によって入射角度が規定されている。上記したように、複数の受光素子２０が発光素子１０から離れる方向に並んでいるので、規定部３０は、発光素子１０から離れるにしたがって、受光素子２０の入射角度が徐々に大きくなるよう、入射角度を規定している。なお、検出領域ＤＲは、ウインドシールドＷＳ、発光素子１０、受光素子２０それぞれの位置、発光素子１０のウインドシールドＷＳへの光の照射角度、及び、規定部３０によって定められるが、検出領域ＤＲは、主として、規定部３０によって定められる。
【００１８】
規定部３０は、受光素子２０の形成された基板２１上に順次積層された、透過膜３１と、遮光膜３２と、を有する。各層の遮光膜３２には開口部３３が形成されており、この開口部３３を介した光が、受光素子２０に入射される。図２に示すように、開口部３３の形状は、照射領域ＩＲにて反射された光（以下、単に反射光と示す）が、各受光素子２０に入射するように形作られている。具体的に言えば、複数の開口部３３によって孔が構成され、この孔が、基板２１の厚さ方向を貫く法線に対して傾いている。そして、各受光素子２０に対応する孔の傾き角度は、発光素子１０から遠ざかるほど、大きくなっている。これは、図２にて発光素子２０から照射される光を実線矢印で示すように、発光素子２０から遠ざかるほど、反射光の反射角度が鈍角に近づくためである。検出領域ＤＲの面積は、主として、開口部３３の開口面積によって定められる。
【００１９】
なお、反射角度とは、ウインドシールドＷＳの厚さ方向に貫く法線と、反射光の進行方向との間の角度を示している。また、受光素子２０の入射角度とは、基板２１の厚さ方向に貫く法線と、入射光の進行方向との間の角度を示している。本実施形態では、反射角度と入射角度とが同一となっている。
【００２０】
検出部４０は、受光素子２０の出力信号に基づいて、雨量を検出するものである。上記したように、１つの照射領域ＩＲに対して複数の受光素子２０が対応しているが、検出部４０は、これら複数の受光素子２０の出力信号に基づいて、雨量を検出する。本実施形態では、図１に示すように、検出部４０は、発光素子１０と受光素子２０との間に配置されている。
【００２１】
本実施形態に係る検出部４０は、受光素子２０の出力信号に重みを付ける重み付け部４１と、重み付け部４１によって重み付けされた受光素子２０の出力信号を閾値電圧Ｖｔｈと比較する比較部４２と、比較部４２の出力信号に基づいて、雨量を検出する雨量検出部４３と、を有する。
【００２２】
発光素子２０から照射される光の形状は一定ではないので、照射領域ＩＲの形状も一定ではない。そのため、主として、規定部３０によって規定されるとはいえ、図３に示すように、各受光素子２０に対応する検出領域ＤＲの形状も一定ではなく、その面積にばらつきが生じる。面積がばらつくと、検出領域ＤＲ当たりにおける雨滴の付着面積もばらつき、面積の大きい検出領域ＤＲに対応する受光素子２０の出力信号が、面積の小さい検出領域ＤＲに対応する受光素子２０の出力信号よりも変化し難くなる。そこで、重み付け部４１は、面積の大きい検出領域ＤＲに対応する受光素子２０の出力信号に付ける重みを、面積の小さい検出領域ＤＲに対応する受光素子２０の出力信号に付ける重みよりも重くしている。
【００２３】
また、検出領域ＤＲには、ルーフから垂れる水や、ワイパーによってはじかれる水などの付着し易い検出領域ＤＲと、し難い検出領域ＤＲとが存在する。水の付き易い検出領域ＤＲに水が頻繁に付着し、その検出領域ＤＲに対応する受光素子２０から電気信号が出力されないと、雨が降っていると雨量検出部４３にて判断される虞がある。そこで、本実施形態に係る重み付け部４１は、水の付き難い検出領域ＤＲに対応する受光素子２０の出力信号に付ける重みを、水の付き易い検出領域ＤＲに対応する受光素子２０の出力信号に付ける重みよりも重くしている。なお、重み付け部４１は、具体的に言えば、アンプである。上記した重みは、アンプの増幅度に相当し、各受光素子２０に対して１つの重み付け部４１が設けられている。
【００２４】
比較部４２は、受光素子２０の出力信号が閾値電圧Ｖｔｈよりも低い場合にＨｉ信号、出力信号が閾値電圧Ｖｔｈよりも高い場合にＨｉ信号よりも電圧レベルの低いＬｏ信号を出力するものである。具体的に言えば、比較部４２は、コンパレータである。各受光素子２０と比較部４２とは、対応する重み付け部４１とスイッチ（図示略）とを介して電気的に接続されており、スイッチを切り替えることで、順次、受光素子２０と比較部４２とが電気的に接続される。この結果、順次、比較部４２からＨｉ信号若しくはＬｏ信号が雨量検出部４３に入力される。
【００２５】
雨量検出部４３は、比較部４２から出力されるＨｉ信号の数をカウントし、そのカウントした数に基づいて、雨量を検出するものである。雨量検出部４３には、重み付け部４１と比較部４２を介した９つの受光素子２０の出力信号が入力される。一例に過ぎないが、雨量検出部４３は、入力される９つ出力信号の内、３つ以上の受光素子２０の出力信号の電圧レベルが微弱であるために、比較部４２から３つ以上のＨｉ信号が入力された場合、雨が降っていると判断して、ワイパーの駆動を指令する駆動信号を、車両のＣＰＵに伝達する。より具体的に言えば、雨量検出部４３は、比較部４２から出力される９つの信号の内、３〜５個の信号がＨｉ信号の場合、小雨が降っていると判断して、第１駆動信号をＣＰＵに出力する。そして、６〜８個の信号がＨｉ信号の場合、通常の雨が降っていると判断して、第２駆動信号をＣＰＵに出力し、９個の信号がＨｉ信号の場合、強い雨が降っていると判断して、第３駆動信号をＣＰＵに出力する。第１駆動信号は、ワイパーを第１速さで動作させる指令を含み、第２駆動信号はワイパーを第１速さよりも早い第２速さで動作させる指令を含み、第３駆動信号は、ワイパーを第２速さよりも早い第３速さで動作させる指令を含んでいる。なお、雨量検出部４３は、マイコンである。
【００２６】
次に、本実施形態に係るレインセンサ１００の作用効果を説明する。上記したように、１つの照射領域ＩＲが複数の検出領域ＤＲに分けられ、１つの検出領域ＤＲに対して１つの受光素子２０が対応している。すなわち、１つの照射領域ＩＲに対して複数の受光素子２０が対応している。これによれば、１つの照射領域ＩＲに対して１つの受光素子が対応する構成とは異なり、光の照射領域ＩＲを広くしても、１つの受光素子２０にて検出される雨滴の検出精度の低下が抑制される。
【００２７】
また、本実施形態では、１つの照射領域ＩＲに対応する複数の受光素子２０の出力信号に基づいて雨量を検出する。上記したように、１つの受光素子２０にて検出される雨滴の検出精度の低下が抑制されているので、１つの照射領域に対して１つの受光素子が対応する構成と比べて、雨量の検出精度の低下が抑制される。
【００２８】
検出部４０は、受光素子２０の出力信号を閾値電圧Ｖｔｈと比較する比較部４２と、比較部４２の出力信号に基づいて、雨量を検出する雨量検出部４３と、を有する。
【００２９】
これによれば、検出領域ＤＲに微量な水が付着している場合において、雨が降っていると判断されることが抑制される。これにより、雨量の検出精度の低下が抑制される。
【００３０】
検出部４０は、受光素子２０の出力信号に重みを付ける重み付け部４１を有し、重み付け部４１によって重み付けされた受光素子２０の出力信号が、比較部４２に入力される。
【００３１】
上記したように、検出領域ＤＲには、水の付着し易い検出領域ＤＲと付着し難い検出領域ＤＲがある。そのため、それぞれにおいて、適した重み付けを行えば、雨量の検出精度の低下が抑制される。
【００３２】
重み付け部４１は、水の付き難い検出領域ＤＲに対応する受光素子２０の出力信号に付ける重みを、水の付き易い検出領域ＤＲに対応する受光素子２０の出力信号に付ける重みよりも重くしている。
【００３３】
これによれば、水の付き易い検出領域ＤＲに水が頻繁に付着した結果、雨が降っていると判断されることが抑制される。これにより、雨量の検出精度の低下が抑制される。
【００３４】
重み付け部４１は、面積の大きい検出領域ＤＲに対応する受光素子２０の出力信号に付ける重みを、面積の小さい検出領域ＤＲに対応する受光素子２０の出力信号に付ける重みよりも重くしている。
【００３５】
上記したように、各受光素子２０に対応する検出領域ＤＲの面積にばらつきが生じ、検出領域ＤＲ当たりにおける雨滴の付着面積もばらつく。そのために、面積の大きい検出領域ＤＲに対応する受光素子２０の出力信号が、面積の小さい検出領域ＤＲに対応する受光素子２０の出力信号も小さくなる。そこで、上記したように、面積の大きい検出領域ＤＲに対応する受光素子２０の出力信号に付ける重みを、面積の小さい検出領域ＤＲに対応する受光素子２０の出力信号に付ける重みよりも重くすることで、検出領域ＤＲの面積差による受光素子２０の出力信号の変動が抑制される。この結果、雨量の検出精度の低下が抑制される。
【００３６】
検出部４０は、発光素子１０と受光素子２０との間に配置されている。
【００３７】
上記したように、照射領域ＩＲの面積を確保するために、発光素子１０から発せられた光がウインドシールドＷＳに対して斜めに照射されている。そのため、照射領域ＩＲにて反射された光の反射角度が鈍角に近づく。このため、反射光が受光素子２０に届くには、発光素子１０と受光素子２０との間の距離をある程度確保しなくてはならず、その領域がデッドスペースとなる。これに対して、本実施形態では、このデッドスペースに検出部４０が配置されている。これによれば、デッドスペース以外の領域に検出部が配置される構成と比べて、レインセンサ１００の体格の増大が抑制される。
【００３８】
以上、本発明の好ましい実施形態について説明したが、本発明は上記した実施形態になんら制限されることなく、本発明の主旨を逸脱しない範囲において、種々変形して実施することが可能である。
【００３９】
本実施形態では、規定部３０は、透過膜３１と、遮光膜３２と、を有する例を示した。しかしながら、図４に示すように、規定部３０は、これらの他に、受光素子２０に入射する光の入射角度を調整するレンズ３４を有してもよい。
【００４０】
これによれば、本実施形態とは異なり、反射光を受光素子２０に入射させるために、発光素子１０と受光素子２０とを所定距離離さなくともよくなる。そのため、図５に示すように、各受光素子２０の隣接間隔を一定とすることができる。
【００４１】
本実施形態では、９つの受光素子２０が基板５０に形成されている例を示した。しかしながら、受光素子２０の数としては、上記例に限定されず、複数であれば良い。
【００４２】
本実施形態では、照射領域ＩＲが９つの検出領域ＤＲに分けられた例を示した。しかしながら、検出領域ＤＲの数としては、上記例に限定されず、複数であれば良い。
【００４３】
本実施形態では、検出部４０が、重み付け部４１を有する例を示した。しかしながら、検出部４０は、重み付け部４１を有さなくとも良い。
【００４４】
本実施形態では、重み付け部４１は、検出領域ＤＲの水の付着し易さと面積差に応じて重みを付ける例を示した。しかしながら、重み付け部４１は、検出領域ＤＲの水の付着し易さだけに応じて重み付けを行っても良いし、面積差だけに応じて重みを付けても良い。
【００４５】
本実施形態では、雨量検出部４３は、比較部４２から出力されるＨｉ信号の数をカウントし、そのカウントした数に基づいて、雨量を検出する例を示した。しかしながら、雨量検出部４３は、比較部４２から出力されるＬｏ信号の数をカウントし、そのカウントした数に基づいて、雨量を検出しても良い。
【００４６】
本実施形態では、特に、基板５０と基板２１との関係について述べなかったが、これらは同一部材であっても良いし、異なる部材であっても良い。
【符号の説明】
【００４７】
１０・・・発光素子
２０・・・受光素子
３０・・・規定部
ＩＲ・・・照射領域
ＤＲ・・・検出領域
１００・・・レインセンサ
【図１】
0005998570.tif 000002
【図２】
0005998570.tif 000003
【図３】
0005998570.tif 000004
【図４】
0005998570.tif 000005
【図５】
0005998570.tif 000006